(57)【特許請求の範囲】
【請求項１】
枠体内に引き違い状に設けられる内外障子のうち内障子の召合せ框に設けられる錠の、内外障子が開いた状態での施錠操作をロックする錠の空掛け防止装置において、
前記錠には前記外障子に設けられる受部に対して係脱自在な掛部が回動自在に設けられ、該掛部の前記受部に対する係合が解除された状態で前記掛部に設けられる係合部に対して係脱するよう揺動自在に保持された回動ロック部と、前記外障子の召合せ框の室内面に設けられ前記外障子の走行方向に面する当接部とからなり、
前記回動ロック部は前記掛部の係合部に対して係合した状態で前記掛部の回動を阻止する方向に付勢されて保持されると共に、前記内障子の走行方向に略面する当接面を有した検出部が前記召合せ框の室外側に露出し、
前記当接部は前記当接面と対向し、前記内外障子が閉じることで前記検出部の当接面は前記当接部に当接し、前記回動ロック部は付勢に対抗して揺動し、前記掛部の係合部に対する係合を解除して前記掛部を回動自在とすることを特徴とする錠の空掛け防止装置。
【請求項２】
前記当接部は前記受部に形成されることを特徴とする請求項１記載の錠の空掛け防止装置。
【請求項３】
前記錠は前記掛部を回動自在に保持する固定基部を有し、前記回動ロック部は前記固定基部に上下方向を軸として揺動自在に保持される揺動軸部を有し、該揺動軸部で前記掛部に対する係合方向に付勢されていることを特徴とする請求項１または２記載の錠の空掛け防止装置。
【発明の詳細な説明】
【技術分野】
【０００１】
本発明は引き違い状の内外障子を施錠する錠の空掛け防止装置に関し、特に障子の走行方向に面し互いに対向する内外障子の部材により障子の開閉状態を検知し障子が開いた状態における空掛けを防止する錠の空掛け防止装置に関する。
【背景技術】
【０００２】
内外障子を引き違い状としてなるサッシにおいて、内障子の召合せ框に錠を設け、外障子の召合せ框には受部を設け、錠に設けられた掛部が受部に係脱し、施錠及び解錠を行うものが知られている。錠は、内外障子が閉じた状態でなければ掛部が受部に係合しないので、障子が開いた状態で操作しても空掛け状態となり施錠されない。このように、空掛け状態ともなる錠では、錠の操作を行っても施錠されないことがあるので、防犯上好ましくない。また、空掛け状態で障子を走行させると、爪状の掛部が障子の框に傷を付けたり変形したりすることがある。そこで、特許文献１に示すように錠の空掛け防止装置が知られている。
【特許文献１】特開２００６−２１４２５４号公報
【発明の開示】
【発明が解決しようとする課題】
【０００３】
特許文献１に示す錠の空掛け防止装置は、掛部が設けられるボックス部から出没自在な検知部を設け、掛部が施錠方向に回動すると検知部がボックス部から突出し、内外障子が開いた状態では検知部の突出が阻害されることがなく、その場合には検知部と連係するロック部が掛部の回動を阻止するように動作し、内外障子が閉じた状態では受部側に設けられた突出部に検出部が当接してそれ以上の突出が阻害され、その場合にはロック部が動作せずに掛部の回動を継続できるようにしたものである。しかし、従来の錠の空掛け防止装置は、検知部を突出させる機構と、その突出度合いに応じて掛部の回動をロックまたはロックしないようにする機構とが必要で、ボックス部内の構造が比較的複雑となっていた。
【０００４】
本発明は、上記課題を解決すべくなされたものであり、障子の走行方向に開閉状態の検知を行うことで構造を簡易化した錠の空掛け防止装置を提供することを目的とする。
【課題を解決するための手段】
【０００５】
上記課題を解決するため、本発明に係る錠の空掛け防止装置は、枠体内に引き違い状に設けられる内外障子のうち内障子の召合せ框に設けられる錠の、内外障子が開いた状態での施錠操作をロックする錠の空掛け防止装置において、
前記錠には前記外障子に設けられる受部に対して係脱自在な掛部が回動自在に設けられ、該掛部の前記受部に対する係合が解除された状態で前記掛部に設けられる係合部に対して係脱するよう揺動自在に保持された回動ロック部と、前記外障子の召合せ框の室内面に設けられ前記外障子の走行方向に面する当接部とからなり、
前記回動ロック部は前記掛部の係合部に対して係合した状態で前記掛部の回動を阻止する方向に付勢されて保持されると共に、前記内障子の走行方向に略面する当接面を有した検出部が前記召合せ框の室外側に露出し、
前記当接部は前記当接面と対向し、前記内外障子が閉じることで前記検出部の当接面は前記当接部に当接し、前記回動ロック部は付勢に対抗して揺動し、前記掛部の係合部に対する係合を解除して前記掛部を回動自在とすることを特徴として構成されている。
【０００６】
また、本発明に係る錠の空掛け防止装置は、前記当接部は前記受部に形成されることを特徴として構成されている。
【０００７】
さらに、本発明に係る錠の空掛け防止装置は、前記錠は前記掛部を回動自在に保持する固定基部を有し、前記回動ロック部は前記固定基部に上下方向を軸として揺動自在に保持される揺動軸部を有し、該揺動軸部で前記掛部に対する係合方向に付勢されていることを特徴として構成されている。
【発明の効果】
【０００８】
本発明に係る錠の空掛け防止装置によれば、掛部の係合部に対して係脱するよう揺動自在に保持された回動ロック部と、外障子の召合せ框に設けられ外障子の走行方向に面する当接部とからなり、回動ロック部は掛部の係合部にに対して係合した状態で掛部の回動を阻止する方向に付勢されて保持されると共に、内障子の走行方向に略面する当接面を有した検出部が召合せ框の室外側に露出し、当接部は当接面と対向し、内外障子が閉じることで検出部の当接面は当接部に当接し、回動ロック部は付勢に対抗して揺動し、掛部の係合部に対する係合を解除して掛部を回動自在とすることにより、内外障子の開閉状態を障子の走行方向において検出し、内外障子が開いている場合には掛部の回動を阻止し、閉じている場合には掛部の回動阻止を解除することができるので、簡易な構成で錠の空掛け防止機能を持たせることができる。
【０００９】
また、本発明に係る錠の空掛け防止装置によれば、当接部は受部に形成されることにより、外障子の召合せ框に取付ける部品数が１つでよく、部品の製造コストを低減できると共に、取付作業性も向上させることができる。
【００１０】
さらに、本発明に係る錠の空掛け防止装置によれば、錠は掛部を回動自在に保持する固定基部を有し、回動ロック部は固定基部に上下方向を軸として揺動自在に保持される揺動軸部を有し、揺動軸部で掛部に対する係合方向に付勢されていることにより、回動ロック部が錠に保持されることとなるため、錠を召合せ框に取付けるだけで空掛け防止装置も取付けることができ、取付作業性を向上させることができる。
【発明を実施するための最良の形態】
【００１１】
本発明の実施形態について、図面に沿って詳細に説明する。図１は本実施形態の框内蔵錠を有したサッシを室内側から見た正面図である。この図に示すように、サッシは、建物開口部に方形状の枠体１を設け、その内部に内障子２と外障子３を引き違い状に納めてなるものである。このうち内障子２の召合せ框２０に框内蔵錠４が設けられる。一方、外障子３の召合せ框２０には受部５が設けられる。
【００１２】
図２には、框内蔵錠を有したサッシの横断面図を示している。この図に示すように、内障子２と外障子３は、縦方向に配置される召合せ框２０と縦框２１とを有しており、その間にはガラス体２２が納められている。ガラス体２２を納めるために召合せ框２０及び縦框２１は、内周面にガラス挿入溝２３を有している。また、ガラス挿入溝２３よりも外周側には、中空部２４を有している。
【００１３】
内障子２の召合せ框２０は、中空部２４が室内側に張り出しており、召合せ框２０の断面積が大きくなるようにしている。これによって召合せ框２０の強度を大きくすると共に、張り出した部分に手をかけて内障子２を開閉しやすいようにしている。また、内障子２の召合せ框２０に形成される中空部２４に框内蔵錠４が納められる。
【００１４】
外障子３の召合せ框２０は、室内側面に受部５を有している。受部５は、内障子２の框内蔵錠４に設けられる掛部１３が係脱するものであり、掛部１３が受部５に係合することで内障子２と外障子３が施錠状態に、掛部１３が受部５から係合解除されることで内障子２と外障子３が解錠状態になる。受部５は、掛部１３が係合することのできる係合部５ａと、框内蔵錠４側に設けられる回動ロック部１５のロック状態を解除する当接部５ｂとを有して構成されている。
【００１５】
図３には、内障子２と外障子３の召合せ部分における内部構造を表した側面図を示している。この図は、掛部１３が受部５と係合していない状態、すなわち内障子２と外障子３が解錠された状態を表している。図３に示すように、内障子２の召合せ框２０に納められる框内蔵錠４は、受部５と係脱自在な掛部１３を有する錠ユニット１０と、掛部１３と連係してこれを操作する操作部１７を有した操作ユニット１１とからなっている。
【００１６】
錠ユニット１０は、召合せ框２０に対して固定するための固定基部１２に、掛部１３が回動自在に支持されて構成されている。また、掛部１３には室内側に向かって延出する延出片１４が設けられている。操作ユニット１１は、召合せ框２０の室内面に設けられる縦長状のガイド部１６と、ガイド部１６に沿って上下方向に摺動自在とされ錠ユニット１０の延出片１４と連係して掛部１３を操作することのできる操作部１７とを有している。
【００１７】
錠ユニット１０の掛部１３は、鎌状に形成されて回動に伴い受部５の係合部５ａに係脱することができる。また、錠ユニット１０には回動ロック部１５が設けられており、図３に示す内障子２と外障子３が閉じた状態においては、回動ロック部１５が受部５の当接部５ｂに当接しており、掛部１３の回動に対するロックが解除された状態となっている。
【００１８】
回動ロック部１５と当接部５ｂの関係について更に詳細に説明する。図４には、内障子２と外障子３の開閉前後における各召合せ框２０の横断面図を示している。図４（ａ）は内障子２または外障子３あるいは両方が開いている状態を表しており、図４（ｂ）は内障子２と外障子３が閉じた状態を表している。
【００１９】
図４（ａ）に示すように、内外の召合せ框２０が離れている状態において、錠ユニット１０の回動ロック部１５は、固定基部１２に対して傾斜状となっている。図３に示すように回動ロック部１５は、固定基部１２に上下方向を軸として揺動自在に保持された揺動軸部１５ａと、揺動軸部１５ａから受部５側に向かって延びる検出部１５ｂと、揺動軸部１５ａから室内側に向かって延びるロック部１５ｃとを有している。
【００２０】
揺動軸部１５ａは、図４（ａ）に示す傾斜方向に対し弾性的に付勢されて固定基部１２に保持されている。検出部１５ｂは、先端に内障子２の走行方向に略面する当接面１５ｄを有しており、その先端部が召合せ框２０の室外面に当接することにより、回動ロック部１５が付勢に抗して停止した状態となっている。また、回動ロック部１５のロック部１５ｃは、先端が略Ｌ字状に形成されている。延出片１４には凹部１４ａが形成されると共に、図３に示すように凹部１４ａの底面には係合孔１４ｂが形成されている。図４（ａ）においては、回動ロック部１５のロック部１５ｃにおける先端部が、延出片１４の係合孔１４ｂに係合している。これにより、延出片１４は掛部１３共々回動することができず、操作部１７も動かすことができないようにされている。すなわち、図４（ａ）では掛部１３がロック状態となっている。
【００２１】
受部５に形成される当接部５ｂは、外障子３の走行方向に面すると共に、内障子２の回動ロック部１５に形成される当接面１５ｄと対向している。図３に示すように、当接部５ｂは受部５とは異なる高さ位置に形成されており、当接部５ｂ及び当接面１５ｄの接離において係合部５ａや掛部１３と干渉しないようにされている。図４（ｂ）に示すように、内障子２と外障子３が閉じた状態となると、受部５に形成された当接部５ｂが回動ロック部１５の当接面１５ｄに当接する。それに伴い、回動ロック部１５は揺動軸部１５ａにおける付勢に対抗して揺動し、ロック部１５ｃの係合孔１４ｂに対する係合が解除される。これによって、延出片１４は掛部１３共々回動することができるようになるので、操作部１７の操作により掛部１３を受部５に対して係合するように回動させることができる。すなわち、図４（ｂ）では掛部１３がロック解除状態となっている。
【００２２】
このように、外障子３の召合せ框２０側に、外障子３の走行方向に面する当接部５ｂを設け、内障子２の召合せ框２０に設けられる錠ユニット１０に、当接部５ｂと対向する当接面１５ｄと、延出片１４と係脱するロック部１５ｃを有する回動ロック部１５を設け、回動ロック部１５はロック部１５ｃが延出片１４と係合する方向に付勢され、内障子２と外障子３が閉じた状態で当接面１５ｄが当接部５ｂに当接し、回動ロック部１５が揺動してロック部１５ｃの延出片１４に対する係合が解除されるようにしたことで、内障子２と外障子３が閉じた状態のとき以外は、回動ロック部１５が掛部１３の回動をロックしているので、簡易な機構により錠に空掛け防止機能を持たせることができる。なお、本実施形態では、当接部５ｂを受部５に形成しているが、受部５とは別体として外障子３の召合せ框２０に固定するようにしてもよい。また、当接部５ｂを受部５とは別体とした上で、受部５に対して固定するようにしてもよい。
【００２３】
図３に示すように、操作ユニット１１の操作部１７は、召合せ框２０の中空部２４内に向かって突出する連係部３０を有している。連係部３０は、室内外方向に伸びる長孔３０ａを有しており、この長孔３０ａに対して錠ユニット１０の延出片１４の室内端部が回動自在に保持される。延出片１４の室内端部にはピン部１４ｃが設けられており、このピン部１４ｃが長孔３０ａに挿通されることで、延出片１４が連係部３０に対し回動自在に保持されている。
【００２４】
図５には、操作部１７を上方にスライドさせた中間の状態を表した側面図を示している。この図に示すように、操作部１７をガイド部１６に沿って上下方向にスライドさせると、連係部３０もそれに伴って上下し、延出片１４はピン部１４ｃが長孔３０ａ内をスライドすることで回動することができる。なお、図５に示すのは内障子２と外障子３が閉じた状態であり、したがって錠ユニット１０の回動ロック部１５による掛部１３のロック状態は解除されており、操作部１７を上方にスライドさせることができる。
【００２５】
図４に示すように、内障子２の召合せ框２０には、室内面に室内開口部２６が形成されており、この室内開口部２６にガイド部１６が固定される。召合せ框２０の室内面のうち、室内開口部２６近傍には、固定凹部２０ａが形成されている。ガイド部１６には室外面に固定凸部１６ａが形成されており、固定凹部２０ａと係合することで、開口部を有する召合せ框２０の強度の低下を抑えるようにしている。また、操作ユニット１１の取付強度を増して、操作部１７を内障子２を開閉する際の引手として利用することもできる。
【００２６】
ガイド部１６は、召合せ框２０の室内開口部２６を覆うように取付けられ、操作部１７は室外面がガイド部１６の室内側に露出した部分に沿うように形成されていることで、ガイド部１６の長手方向に沿ってスライド自在とされている。
【００２７】
操作部１７は、召合せ框２０の左右方向中央位置に配置されており、一方で操作部１７に設けられる連係部３０は、操作部１７の左右方向中央位置よりも召合せ框２０の外周面側に偏った位置に設けられている。召合せ框２０は、召合せ框２０を意匠性向上のため幅細に形成し、かつ内周面にはガラス挿入溝２３を有しているため、中空部２４は外周面側に偏って配置されている。このため、連係部３０を操作部１７において召合せ框２０の外周面側に偏った位置に配置することで、操作部１７の室内側に露出する部分は召合せ框２０の左右方向中央位置に配置することができ、操作部１７が召合せ框２０の室内面において一方側に偏って配置されることによる意匠性の低下を防止することができる。
【００２８】
また、錠ユニット１０の延出片１４は、連係部３０の偏って配置されている側である召合せ框２０の外周面側の面に当接し連係されている。これによって、錠ユニット１０は召合せ框２０内において連係部３０よりもさらに外周面側に配置されることとなる。これによって、召合せ框２０の外周面側に偏っている中空部２４内に、錠ユニット１０を干渉することなく納めることができる。すなわち、意匠性向上のため幅細に形成された召合せ框２０において、錠ユニット１０を確実に召合せ框２０内に納めることができるようにしている。
【００２９】
図６には、内障子２の召合せ框２０と錠ユニット１０及び操作ユニット１１の分解横断面図を示している。召合せ框２０には、前述のように室内面に室内開口部２６が形成されており、また室外面には室外開口部２５が形成されている。錠ユニット１０は、召合せ框２０の室外開口部２５から中空部２４内に挿入されて固定される。一方、操作ユニット１１は、召合せ框２０の室内開口部２６から中空部２４内に挿入されて固定されると共に、連係部３０が錠ユニット１０の延出片１４と連係される。このように、予めユニット化された錠ユニット１０及び操作ユニット１１を召合せ框２０の室内外面からそれぞれ挿入し固定するようにしたので、框内蔵錠の取付作業を容易にすることができる。
【００３０】
操作ユニット１１の構成について、更に詳細に説明する。図７には、操作ユニット１１の分解側面図を示している。この図に示すように、操作ユニット１１は前述のガイド部１６と操作部１７と、操作部１７に取付けられる連係部３０と、操作部１７に取付けられ操作部１７の移動のロック操作を行うロック操作部３２と、ロック操作部３２を操作部１７に対し揺動自在となるように取付ける支持部品３３とを有している。
【００３１】
連係部３０は、上下方向に伸びる板状の延出部３１と一体化されている。延出部３１は、召合せ框２０の中空部２４内面に当接して、操作部１７が上下にスライドされた際に操作部１７と一体的に上下し、そのスライドを案内する。図８には、ガイド部１６の平面図を示している。この図に示すように、ガイド部１６には中央部に略長方形状のガイド孔１６ｂが形成されており、このガイド孔１６ｂに連係部３０が挿通され、操作部１７と一体化される。したがって、操作部１７を上下にスライドさせると、ガイド部１６のガイド孔１６ｂに連係部３０が規制されながらスライドすることとなる。また、ガイド部１６に形成されたガイド孔１６ｂの縁部には、ガイド孔１６ｂを挟んで一対の係合凹部１６ｃが形成される。
【００３２】
操作部１７に設けられるロック操作部３２は、支持部品３３によって操作部１７に対して軸部３２ａを中心に揺動自在に取付けられる。軸部３２ａはロック操作部３２の側面に設けられ、ロック操作部３２を室内側から押圧操作することにより、ロック操作部３２の一端側を操作部１７の表面から押し込むようにすることができる。また、ロック操作部３２の室外側面には、突起状の係合突起３２ｂが形成されており、ロック操作部３２が操作されることで、係合突起３２ｂが室内外方向に移動する。
【００３３】
図９には、操作部１７を上端までスライドさせた状態を表した側面図を示している。この図は、操作部１７が上端までスライドされることで、掛部１３が受部５に係合した状態、すなわち内障子２と外障子３を施錠した状態を表している。この状態において、ロック操作部３２の係合突起３２ｂは、ガイド部１６の係合凹部１６ｃに対して係脱自在な位置となり、ロック操作部３２を揺動操作することにより係合突起３２ｂを係合凹部１６ｃに対して係合させた状態とすることができる。これにより、操作部１７はガイド部１６にロックされた状態となる。
【００３４】
操作部１７のガイド部１６に対するロック状態を解除するには、ロック操作部３２の上部を押圧し、これを揺動操作して係合突起３２ｂの係合凹部１６ｃに対する係合状態を解除すればよい。図５に示すように操作部１７を下方にスライド操作して掛部１３の受部５に対する係合を解除する際には、ロック操作部３２はロックが解除された状態、すなわち係合突起３２ｂが係合凹部１６ｃから係合解除され、かつ操作部１７から下端部が突出した状態となっている。さらに、図３に示すように操作部１７を下端までスライド操作させると、ロック操作部３２はガイド部１６の下端よりもさらに下方位置に配置される。このため、この状態でロック操作部３２を揺動操作し、操作部１７内に押し込んだ状態とすることもできる。
【００３５】
その後に操作部１７を上方にスライドさせると、ロック操作部３２の係合突起３２ｂがガイド部１６と干渉することとなるが、ガイド部１６の下端部には傾斜面部１６ｄが形成されており、操作部１７のスライド操作に伴い、係合突起３２ｂの先端部は傾斜面部１６ｄを介してガイド部１６に乗り上げることができる。なお、これによってロック操作部３２は揺動して一端部が操作部１７から突出した状態となる。このようにガイド部１６に傾斜面部１６ｄを設けたことで、解錠時にロック操作部３２を操作していても、操作部１７のスライド操作が阻害されないようにすることができる。
【００３６】
次に、本発明の第２の実施形態について説明する。本実施形態では、第１の実施形態と比べて、操作ユニット１１が異なる構成を有している。図１０には、本実施形態における框内蔵錠を有するサッシのうち召合せ框２０付近の横断面図を示している。この図に示すように、内障子２の召合せ框２０と外障子３の召合せ框２０にそれぞれガラス挿入溝２３と中空部２４が形成されている。そして、内障子２の中空部２４内に錠ユニット１０が納められ、召合せ框２０の室内面に操作ユニット１１が取付けられている。また、外障子３の室内面には受部５が設けられている。
【００３７】
外障子３に設けられる受部５と内障子２内に納められる錠ユニット１０の構成は、第１の実施形態と同様であるので、基本的に説明を省略する。ただし、内障子２の召合せ框２０における見込方向寸法が第１の実施形態よりも大きいため、錠ユニット１０の延出片１４は第１の実施形態のものより若干長く形成されている。
【００３８】
内障子２の召合せ框２０には室外面に室外開口部２５が、室内面に室内開口部２６が、それぞれ形成されており、錠ユニット１０は室外開口部２５から挿入されて召合せ框２０の中空部２４内に納められ、操作ユニット１１を構成するガイド部４０は室内開口部２６に対して取付けられる。
【００３９】
図１１には、内障子２と外障子３の召合せ部分における内部構造を表した側面図を示している。この図は、掛部１３が受部５と係合している状態、すなわち内障子２と外障子３が施錠された状態を表している。また、図１２には、操作ユニット１１の正面図を示している。これらの図に示すように、操作ユニット１１は、召合せ框２０の室内面に取付けられるガイド部４０と、錠ユニット１０の延出片１４に取付けられる操作部４１とを有している。
【００４０】
ガイド部４０は、室内側に開口する開口面４０ｄを有し、召合せ框２０の室内面に取付けられることで、召合せ框２０の室内面に凹状の領域を形成する。ガイド部４０の開口と対向する底面側には、凸状に形成された凸状壁部４０ａが形成されており、凸状壁部４０ａとその上下部に渡るようにスリット状の挿通孔４０ｂが形成されている。錠ユニット１０の掛部１３に設けられる延出片１４は、ガイド部４０の挿通孔４０ｂに挿通され、その上端に当接する位置から下端に当接する位置に渡って回動することができる。
【００４１】
操作部４１は、ガイド部４０により形成される凹状の領域に納められる小片状の部品からなり、延出片１４の端部と連結される。図１３には操作部４１の側面図及び底面図を示している。図１３（ａ）が操作部４１の側面図、図１３（ｂ）が操作部４１の底面図である。図１３（ａ）に示すように、操作部４１は、室内側に面する前面部４１ｃと、前面部４１ｃの背面側に指を引っ掛けて操作できるように形成した曲面部４１ｂとを有している。また、ガイド部４０に形成される係合孔４０ｃに係合する係合部４１ｄを有している。
【００４２】
さらに、前面部４１ｃよりも背面側の領域は、下端面を先端とする断面略Ｖ字状に形成されており、後述する開閉羽根部４２を押圧する押圧部４１ｅとされている。操作部４１の下端面は、前面部４１ｃから背面側に向かって下方傾斜状の傾斜面とされる領域と、それよりも背面側で上方傾斜状の傾斜面とされる領域とがあり、押圧部４１ｅはこのうち下方傾斜状の傾斜面の領域に形成される。また、操作部４１の下端面であって背面側に向かって上方傾斜状とされた領域には、延出片１４の室内端部を挿入保持することのできる凹状の連係部４１ａが形成されている。
【００４３】
操作部４１において連係部４１ａの左右には、それぞれコマ片４３が回動自在に設けられる。コマ片４３は、操作部４１の連係部４１ａが形成されている面に形成される凹状部４１ｆに端部が納められるように延出片１４に対して取付けられる。
【００４４】
図１２に示すように、ガイド部４０の開口面４０ｄの両端部には、操作部４１が配置される位置より下方領域を覆うように開閉羽根部４２が設けられている。開閉羽根部４２は、左右２枚が設けられており、ガイド部４０の側壁側において、ガイド部４０の内側に向かって開閉自在となるように保持されている。また、この保持において開閉羽根部４２は開口面４０ｄを閉塞する方向に付勢されている。図１１に示すように、開閉羽根部４２の上端部には、ガイド部４０の内側に向かって傾斜する傾斜面部４２ａが形成されている。
【００４５】
図１２に示すように、掛部１３が受部５に係合した状態において、操作部４１はガイド部４０の内部であって上方部に配置される。また、その室内面は閉塞した状態にある開閉羽根部４２と略面一状となっている。ガイド部４０の開口面４０ｄは、掛部１３が受部５に係合した状態において、操作部４１とガイド部４０の上端部までが開口しており、この開口部分から指を差し入れて操作部４１を手前に引くように操作することができる。
【００４６】
図１４には、操作部４１を下端位置まで操作した状態の内障子２と外障子３の召合せ部分における内部構造を表した側面図を示している。この図に示すように、操作部４１を操作し押し下げると、掛部１３は回動して受部５に対する係合状態が解除される。すなわち、内障子２と外障子３が解錠状態となる。また、この状態では操作部４１が完全にガイド部４０内に納まった状態となるため、開閉羽根部４２は、保持部分における付勢により閉塞する。これによって、操作部４１はガイド部４０内であって開閉羽根部４２により閉塞された領域に納められて、室内側からは見えないようにすることができる。開放状態から内障子２と外障子３を施錠するには、指をガイド部４０内に差し入れることで開閉羽根部４２を開放し、操作部４１の前面部４１ｃを押し上げるように操作すればよい。
【００４７】
図１４に示すように、掛部１３が受部５から係合解除された状態では、回動ロック部１５のロック部１５ｃが、延出片１４の凹部１４ａに形成された係合孔１４ｂの位置に配置される。ただし、図１４は内障子２と外障子３が閉じた状態を示しており、前述のようにこの状態においては回動ロック部１５が受部５の当接部５ｂに当接しているために、掛部１３の回動に対するロックが解除された状態となっている。
【００４８】
回動ロック部１５の動作について、より詳細に説明する。図１５には、内障子２と外障子３の開閉前後における各召合せ框２０の横断面図を示している。図１５（ａ）は内障子２または外障子３あるいは両方が開いている状態を表しており、図１５（ｂ）は内障子２と外障子３が閉じた状態を表している。図１５（ａ）に示すように、内外の召合せ框２０が離れている状態において、錠ユニット１０の回動ロック部１５は、固定基部１２に対して傾斜状となっている。図１４に示すように回動ロック部１５は、固定基部１２に上下方向を軸として揺動自在に保持された揺動軸部１５ａと、揺動軸部１５ａから受部５側に向かって延びる検出部１５ｂと、揺動軸部１５ａから室内側に向かって延びるロック部１５ｃとを有している。
【００４９】
揺動軸部１５ａは、図１５（ａ）に示す傾斜方向に対し弾性的に付勢されて固定基部１２に保持されている。検出部１５ｂは、先端に内障子２の走行方向に略面する当接面１５ｄを有しており、その先端部が召合せ框２０の室外面に当接することにより、回動ロック部１５が付勢に抗して停止した状態となっている。また、回動ロック部１５のロック部１５ｃは、先端が略Ｌ字状に形成されている。延出片１４には凹部１４ａが形成されると共に、図８に示すように凹部１４ａの底面には係合孔１４ｂが形成されている。図１５（ａ）においては、回動ロック部１５のロック部１５ｃにおける先端部が、延出片１４の係合孔１４ｂに係合している。これにより、延出片１４は掛部１３共々回動することができず、操作部１７も動かすことができないようにされている。すなわち、図１５（ａ）では掛部１３がロック状態となっている。
【００５０】
受部５に形成される当接部５ｂは、外障子３の走行方向に面すると共に、内障子２の回動ロック部１５に形成される当接面１５ｄと対向している。図１４に示すように、当接部５ｂは受部５とは異なる高さ位置に形成されており、当接部５ｂ及び当接面１５ｄの接離において係合部５ａや掛部１３と干渉しないようにされている。図１５（ｂ）に示すように、内障子２と外障子３が閉じた状態となると、受部５に形成された当接部５ｂが回動ロック部１５の当接面１５ｄに当接する。それに伴い、回動ロック部１５は揺動軸部１５ａにおける付勢に対抗して揺動し、ロック部１５ｃの係合孔１４ｂに対する係合が解除される。これによって、延出片１４は掛部１３共々回動することができるようになるので、操作部１７の操作により掛部１３を受部５に対して係合するように回動させることができる。すなわち、図１５（ｂ）では掛部１３がロック解除状態となっている。
【００５１】
このように、外障子３の召合せ框２０側に、外障子３の走行方向に面する当接部５ｂを設け、内障子２の召合せ框２０に設けられる錠ユニット１０に、当接部５ｂと対向する当接面１５ｄと、延出片１４と係脱するロック部１５ｃを有する回動ロック部１５を設け、回動ロック部１５はロック部１５ｃが延出片１４と係合する方向に付勢され、内障子２と外障子３が閉じた状態で当接面１５ｄが当接部５ｂに当接し、回動ロック部１５が揺動してロック部１５ｃの延出片１４に対する係合が解除されるようにしたことで、内障子２と外障子３が閉じた状態のとき以外は、回動ロック部１５が掛部１３の回動をロックしているので、簡易な機構により錠に空掛け防止機能を持たせることができる。
【００５２】
これまで本発明の実施形態について説明したが、本発明の適用は本実施形態には限られず、その技術的思想の範囲内において様々に適用されうるものである。
【図面の簡単な説明】
【００５３】
【図１】本実施形態における框内蔵錠を有するサッシを室内側から見た正面図である。
【図２】框内蔵錠を有したサッシの横断面図である。
【図３】内障子と外障子の召合せ部分における内部構造を表した側面図である。
【図４】内障子と外障子の開閉前後における各召合せ框の横断面図である。
【図５】操作部を上方にスライドさせた中間の状態を表した側面図である。
【図６】内障子の召合せ框と錠ユニット及び操作ユニットの分解横断面図である。
【図７】操作ユニットの分解側面図である。
【図８】ガイド部の平面図である。
【図９】操作部を上端までスライドさせた状態を表した側面図である。
【図１０】第２の実施形態における框内蔵錠を有するサッシのうち召合せ框付近の横断面図である。
【図１１】内障子と外障子の召合せ部分における内部構造を表した側面図である。
【図１２】操作ユニットの正面図である。
【図１３】操作部の側面図及び底面図である。
【図１４】操作部を下端位置まで操作した状態の内障子と外障子の召合せ部分における内部構造を表した側面図である。
【図１５】内障子と外障子の開閉前後における各召合せ框の横断面図である。
【符号の説明】
【００５４】
１    枠体
２    内障子
３    外障子
４    框内蔵錠
５    受部
５ａ  係合部
５ｂ  当接部
１０    錠ユニット
１１    操作ユニット
１２    固定基部
１３    掛部
１４    延出片
１４ｃ  ピン部
１５    回動ロック部
１５ｂ  検出部
１５ｃ  ロック部
１５ｄ  当接面
１６    ガイド部
１７    操作部
２０    召合せ框
２４    中空部
２５    室外開口部
２６    室内開口部
３０    連係部
３０ａ  長孔
３２    ロック操作部
３２ｂ  係合突起
【図１】
0004960855.tif 000002
【図２】
0004960855.tif 000003
【図３】
0004960855.tif 000004
【図４】
0004960855.tif 000005
【図５】
0004960855.tif 000006
【図６】
0004960855.tif 000007
【図７】
0004960855.tif 000008
【図８】
0004960855.tif 000009
【図９】
0004960855.tif 000010
【図１０】
0004960855.tif 000011
【図１１】
0004960855.tif 000012
【図１２】
0004960855.tif 000013
【図１３】
0004960855.tif 000014
【図１４】
0004960855.tif 000015
【図１５】
0004960855.tif 000016